(57)【要約】【課題】便器に形成された便座取り付け用の孔の形状や配置によらず、簡便かつ低コストに、便座ユニットを取り付けることができるトイレ装置を提供すること。【解決手段】便座を有してなる便座ユニットが、着座式便器の上面に、粘着性樹脂を介して、前記粘着性樹脂の粘着力によって取り付けられる。粘着性樹脂は、便器の上面における凹凸構造の高低差以上の厚さを有することが好ましい。また、粘着性樹脂は、便器の後方に形成された便座取り付け用の孔を覆って配置されることが好ましい。【選択図】図１
2015000158.tif 000002
【特許請求の範囲】
【請求項１】
便座を有してなる便座ユニットが、着座式便器の上面に、粘着性樹脂を介して、前記粘着性樹脂の粘着力によって取り付けられていることを特徴とするトイレ装置。
【請求項２】
前記粘着性樹脂は、前記便器の上面における凹凸構造の高低差以上の厚さを有することを特徴とする請求項１に記載のトイレ装置。
【請求項３】
前記粘着性樹脂は、前記便器の後方に形成された便座取り付け用の孔を覆って配置されていることを特徴とする請求項１または２に記載のトイレ装置。
【発明の詳細な説明】
【技術分野】
【０００１】
本発明は、トイレ装置に関し、さらに詳しくは、便座等を有してなる便座ユニットが便器の上面に取り付けられたトイレ装置に関する。
【背景技術】
【０００２】
旧来の簡素な便座から、局部洗浄装置や便座暖房等、多様な機能を備えた便座ユニットに交換すること等を目的として、便器に様々な便座を取り付け可能とすることが、要求されている。一般に、図２に示すように、従来一般のトイレ装置９０においては、便器２の上面２１に２つの便座取付孔２２が貫通孔として形成されており、便座ユニット３側には、この便座取付孔２２に対応する位置に、本体と一体または別体で、ボルト９１が取り付けられる。図２の例では、ボルト９１は、便座ユニット３の底面に形成されたボルト挿入孔３５に挿入して固定される。そして、このボルト９１を便器２の便座取付孔２２に挿入し、ナット９２、ワッシャ９３、パッキン９４をボルト９１に嵌め込んで、便座ユニット３を便器２に固定する。しかし、便器２に形成された便座取付孔２２の孔径や便器２上での位置等は、必ずしも統一されていない。特に、海外製の便器においては、これらの寸法が、多種多様に設定されている。
【０００３】
そこで、便座取付孔の位置が異なる便器にも便座ユニットを取り付けられるような取り付け構造が提案されている。例えば、特許文献１には、便座ユニットのハウジング部に、便座位置調整用の長孔が形成された板状部を形成し、この長孔から便器に形成された貫通孔にボルトを挿入し、便座ユニットを便器に固定することが記載されている。また、特許文献２には、長孔が形成された取付プレートを便器に締結し、その取付プレートに便座等が取り付けられたハウジングを係止することが記載されている。これらのようにすることにより、便器に対する便座ユニットの取り付け位置を調整可能とすることができる。さらに、これらの場合には、便器下面奥でボルトの締結作業を行うことになり、作業性が悪くなってしまうが、手作業によって容易にこのような締結を行えるように工夫した取付ナットが、特許文献３に記載されている。
【先行技術文献】
【特許文献】
【０００４】
【特許文献１】特開２０００−３３６７２８号公報
【特許文献２】特開２００２−２４２２６１号公報
【特許文献３】特許第３３９８９２７号公報
【発明の概要】
【発明が解決しようとする課題】
【０００５】
上記特許文献１および特許文献２のように、長孔を利用したり、取付プレートのようなアダプタを使用したりすることで、ある程度は便器側の便座取付孔の位置が異なる場合にも、便座ユニットを取り付けることが可能となる。しかしながら、長孔の長さやアダプタの構造による許容範囲内でしか、ボルトの締結位置を調整することができず、多様な便器への便座ユニットの取り付けに対応するには、限界がある。また、便座ユニットの取り付けのために、アダプタ、ボルト、ナット等、多数の部材を使用する必要があり、取り付けに要するコストが大きくなる。特許文献３のように、特殊なナットを使用すれば、部品の点数を削減することは可能であるが、その構造の特殊性のため、ナット自体の製造コストが大きくなる。
【０００６】
本発明が解決しようとする課題は、便器に形成された便座取り付け用の孔の形状や配置によらず、簡便かつ低コストに、便座ユニットを取り付けることができるトイレ装置を提供することにある。
【課題を解決するための手段】
【０００７】
上記課題を解決するために、本発明にかかるトイレ装置は、便座を有してなる便座ユニットが、着座式便器の上面に、粘着性樹脂を介して、前記粘着性樹脂の粘着力によって取り付けられていることを要旨とする。
【０００８】
ここで、前記粘着性樹脂は、前記便器の上面における凹凸構造の高低差以上の厚さを有することが好ましい。
【０００９】
また、前記粘着性樹脂は、前記便器の後方に形成された便座取り付け用の孔を覆って配置されているとよい。
【発明の効果】
【００１０】
上記本発明にかかるトイレ装置においては、ボルトによる締結ではなく、粘着性樹脂の粘着力によって、便座ユニットを便器に取り付けている。よって、便器に形成された便座取り付け用の孔と、ボルト等の便座ユニットを取り付けるための部材との位置合わせを考慮する必要がない。よって、便器に形成された便座取り付け用の孔の形状や位置によらず、多様な便器に便座ユニットを取り付け、トイレ装置を構成することができる。また、粘着性樹脂を便器に貼り付け、その上に便座ユニットを載せるだけで便座を取り付けることができるので、取り付け作業を容易に行うことができる。さらに、粘着性樹脂のみを使用して、便座ユニットの便器への取り付けを行えるため、取り付けに要する部品の点数が少なくて済み、便座ユニットの取り付けに要するコストを低減することができる。
【００１１】
また、便器は通常は陶器よりなり、その上面には不可避的に歪み等の凹凸構造が存在するが、接着性樹脂がその凹凸を吸収することで、便座ユニットの便器への取り付けが安定化する。さらに、接着性樹脂を使用することで、便座ユニットを交換等のために容易に取り外すことができ、接着性樹脂自体も、適宜水洗等を行って繰り返して使用することができる。
【００１２】
ここで、粘着性樹脂が、便器の上面における凹凸構造の高低差以上の厚さを有する場合には、粘着性樹脂によって、便器の上面の凹凸を効果的に吸収することができ、便座ユニットが、がたつき等を受けずに、非常に安定して便器上面に固定される。
【００１３】
また、粘着性樹脂が、便器の後方に形成された便座取り付け用の孔を覆って配置されている場合には、便座取り付け用の孔を便座ユニットの取り付け位置のおおよその目安とすることができる。また、便座取り付け用の孔や粘着性樹脂が使用者等に視認されることによるトイレ装置の意匠性の低下が起こりにくい。
【図面の簡単な説明】
【００１４】
【図１】本発明の一実施形態にかかるトイレ装置を示す分解斜視図である。
【図２】従来一般のトイレ装置を示す分解斜視図である。
【発明を実施するための形態】
【００１５】
以下、本発明の一実施形態にかかるトイレ装置ついて図１を参照しつつ詳細に説明する。本発明の一実施形態にかかるトイレ装置１は、便器２の上面２１に、粘着性樹脂プレート４，４を介して、便座ユニット３が取り付けられてなる。
【００１６】
便器２は、従来一般に使用されているのと同様の便器であり、通常は陶器よりなる。上面２１の後方には、ボルト等を使用して従来一般の便座（ユニット）を取り付けるための、２つの便座取付孔２２，２２が貫通孔として形成されている。
【００１７】
便座ユニット３は、いわゆる温水洗浄便座ユニットであり、本体部３１の前方に、便座３２および便蓋３３が開閉可能に取り付けられている。本体部３１には、人体局部洗浄用に温水を噴出する温水洗浄装置、濡れた人体局部を乾燥させるための温風を噴出する温風乾燥装置等、便座３２に付属する種々の装置の構成部材や制御部が内蔵されている。便座ユニット３は、全体で１つのユニットとして、便器２への据え付けを行えるものである。従来一般の便座ユニットを、本トイレ装置１における便座ユニット３として使用することができる。
【００１８】
粘着性樹脂プレート４，４は、粘着性樹脂よりなり、両面に粘着性を有する板状の部材である。ここで、粘着性樹脂とは、対象物との接触面において密着性を示し、対象物に容易に剥離せずに密着し（貼り付き）、しかし、所定以上の力を加えると対象物から可逆的に剥離できる、ジェル状、ゴム状等の柔軟な樹脂のことであり、好ましくは感圧性を有する。粘着性樹脂プレート４，４を構成する粘着性樹脂の具体的な材料は特に限定されないが、ウレタン樹脂、シリコーン樹脂等を例示することができる。
【００１９】
トイレ装置１においては、便器２の上面２１に、２つの便座取付孔２２，２２を被覆して、２枚の粘着性樹脂プレート４，４の下面がその粘着力によって貼り付いている。そして、その上に、便座ユニット３が載置され、便座ユニット３の底面に粘着性樹脂プレート４，４の上面が貼り付いている。このように、粘着性樹脂プレート４，４が、その両面において、それぞれ便器２の上面２１と便座ユニット３の底面との間で粘着性を示すことにより、便座ユニット３が、粘着性樹脂プレート４，４を介して、粘着性樹脂プレート４，４の粘着力によって、便器２に固定された状態となる。
【００２０】
従来一般のトイレ装置においては、ボルトを用いて便座ユニット３を便器２に取り付けるので、便器２の便座取付孔２２，２２と便座ユニット３側のボルト取り付け位置（たとえばボルト挿入孔）とを合わせる必要があった。これに対し、本トイレ装置１においては、このように位置合わせを行う必要がなく、ある程度の平坦性を有する平面ならばどこにでも密着することのできる粘着性樹脂プレート４，４を使用して、便座ユニット３を便器２に取り付けている。よって、便座ユニット３のボルト取り付け位置と便器２の便座取付孔２２，２２との間の位置や形状の関係性に支配されず、任意の便器２に対して任意の便座ユニット３を取り付けることができる。また、好み等に応じて、便器２に対する便座ユニット３の取り付け位置を細かく調整することができる。特に海外製の便器の場合、便座取付孔２２，２２の形状や位置が多様であるが、このような場合にも、便座ユニット３の取り付けを行うことができる。
【００２１】
また、本トイレ装置１においては、２枚の粘着性樹脂プレート４，４のみを用いて、便座ユニット３を便器２に取り付けており、ボルトを用いて取り付けを行う場合に、ボルト以外にもナット、ワッシャ等の部材を必要とするのに比べ、取り付けに要する部品点数が削減される。これにより、取り付け構造が簡素化されるとともに、取り付けに要するコストが低減される。粘着性樹脂よりなる板材やシート材は、汎用的なものであり、安価で利用することができる。
【００２２】
さらに、上記のように、便座ユニット３の取り付けに際し、まず粘着性樹脂プレート４，４を便器２の上面２１の便座取付孔２２，２２が形成された部位に貼り付け、その上に、便座ユニット３を載置し、適宜上方から圧力をかけるだけでよい。これは、ボルトを用いて取り付けを行う場合に、便座３２の下面奥の作業が行いにくい位置で締結作業を行うのに比べ、極めて簡単である。
【００２３】
一方、本トイレ装置１においては、便座ユニット３を取り外す作業も容易に行うことができる。例えば、便座ユニット３（または便器２）と粘着性樹脂プレート４，４との間の密着を解除できる程度の上方に向かう力を、便座ユニット３に対して加えれば、便座ユニット３を便器２から分離することができる。そして、便器２の上面２１か便座ユニット３の底面に残った粘着性樹脂プレート４，４を、適宜端部から爪で掻く等して剥離すればよい。粘着性樹脂プレート４，４は、繰り返し使用することができる。汚れや埃等によって粘着性が低下してしまっている場合には、適宜水洗等を行ってから再利用すればよい。
【００２４】
本トイレ装置１においては、粘着性樹脂プレート４，４を用いて便座ユニット３を取り付けていることにより、便座ユニット３の取り付けや取り外しの利便性以外に、便座ユニット３の取り付け状態を安定化させるという効果も有する。上記のように、便器２は、通常陶器よりなっており、その上面２１には、不可避的に歪み等の凹凸構造が存在する。ここに直接便座ユニット３を載置し、ボルト等を用いて固定する場合には、便器２の上面２１の凹凸構造のために、便座ユニット３にがたつきが生じる場合がある。しかし、粘着性樹脂プレート４，４を介して便器２の上面２１に便座ユニット３を取り付ければ、粘着性樹脂プレート４，４がその柔軟性のために弾性変形し、便器２の上面２１の凹凸を吸収することができる。これにより、便座ユニット３の取り付け状態が安定し、がたつき等が生じにくくなる。便器２の上面２１の凹凸を効果的に吸収するためには、粘着性樹脂プレート４，４は、便器２の上面２１の凹凸構造における高低差よりも大きな厚みを有していることが好ましい。例えば、３〜５ｍｍ程度の厚みを有していることが好ましい。
【００２５】
本トイレ装置１においては、便器２の上面２１に形成された２つの便座取付孔２２，２２を覆って、粘着性樹脂プレート４，４が設けられたが、粘着性樹脂プレート４，４の配置はこの位置に限定されない。しかし、おおむね、便器２は便座取付孔２２，２２の付近で便座ユニット３を安定に支持できるように設計され、便座ユニット３も従来のボルト等を取り付ける位置で便器２に固定されて安定し、最適に機能を発揮できるように設計されている。よって、便座取付孔２２，２２の位置は一定でないとはいえ、便座ユニット３を固定すべき位置のおおよその目安となりうる。よって、粘着性樹脂プレート４，４を便座取付孔２２，２２の位置に設けることで、便座ユニット３を位置決めしやすくなる。また、便座ユニット３を取り付けた後では、粘着性樹脂プレート４，４が過度に大面積でないかぎり、便座取付孔２２，２２および粘着性樹脂プレート４，４は、外部には露出せず、それらによってトイレ装置１の意匠性が低下することや、粘着性樹脂プレート４，４が汚物等によって汚染されることがない。
【００２６】
粘着性樹脂プレート４，４の面積は、十分な粘着性が確保できるように、適宜選択すればよい。十分な粘着性とは、粘着性樹脂プレート４，４を介して便器２に取り付けられた便座ユニット３の便座３２に大人が着座し、通常想定される程度の運動を行っても、その体重によって便座ユニット３が便器２の上面２１の面内でずれない程度の粘着性を言う。
【００２７】
以上、本発明の実施形態について詳細に説明したが、本発明は上記実施形態に何ら限定されるものではなく、本発明の要旨を逸脱しない範囲で種々の改変が可能である。例えば、便座ユニット３は、いわゆる温水洗浄便座ユニットである必要はなく、旧来の便座（および便蓋）のみを備える簡素な便座であってもよい。また、温水洗浄装置および温風乾燥装置のいずれか一方のみを備える便座ユニットであってもよい。
【符号の説明】
【００２８】
１            トイレ装置
２            便器
２１          （便器２の）上面
２２，２２    便座取付孔
３            便座ユニット
３１          本体部
３２          便座
３３          便蓋
４，４        粘着性樹脂プレート
【図１】
2015000158.tif 000003
【図２】
2015000158.tif 000004